(57)【要約】【課題】本発明は、便利に異なるコンピュータの入力デバイスとして使用することができるコンピュータ入力システム及びその方法を提供する。【解決手段】本発明に係るコンピュータ入力システムは、キーボードを備える。キーボードは、所望のコンピュータのブルートゥースアダプタと通信するブルートゥース送信機と、各コンピュータのブルートゥースアダプタのブルートゥースアドレス及び対応する識別シリアル番号を格納するメモリと、所望のコンピュータのブルートゥースアダプタのブルートゥースアドレスを取得し且つブルートゥースアドレスに基づいて、対応する識別シリアル番号を取得するマイクロコントローラであって、ブルートゥース送信機とブルートゥースアダプタとをマッチンッグするマイクロコントローラと、を備える。【選択図】図１
2014194778.tif 000002
【特許請求の範囲】
【請求項１】
それぞれブルートゥースアダプタを有する複数のコンピュータに適用されるコンピュータ入力システムにおいて、
キーボードを備え、
前記キーボードは、
所望のコンピュータのブルートゥース（登録商標）アダプタと通信するためのブルートゥース送信機と、
各コンピュータのブルートゥースアダプタのブルートゥースアドレス及び各ブルートゥースアドレスに対応する識別シリアル番号を格納するためのメモリと、
所望のコンピュータのブルートゥースアダプタのブルートゥースアドレスを取得し、且つ前記ブルートゥースアドレスに基づいて、前記メモリから対応する識別シリアル番号を取得するためのマイクロコントローラであって、前記ブルートゥース送信機とブルートゥースアドレスに対応するブルートゥースアダプタとをマッチンッグするためのマイクロコントローラと、を備え、
前記ブルートゥース送信機と前記ブルートゥースアドレスとがマッチングすると、前記キーボードは、前記コンピュータの入力デバイスとして使用できることを特徴とするコンピュータ入力システム。
【請求項２】
前記メモリに格納される各グループのブルートゥースアドレス及び対応する識別シリアル番号は、それぞれ１つの番号に対応し、
前記マイクロコントローラは、入力された番号に基づいて、所望のコンピュータのブルートゥースアダプタのブルートゥースアドレスを取得し、これにより、前記キーボードを異なるコンピュータの入力システムとして使用することができることを特徴とする請求項１に記載のコンピュータ入力システム。
【請求項３】
前記マイクロコントローラは、
入力された番号を受信し、且つ前記入力された番号に基づいて対応するブルートゥースアドレス及び識別シリアル番号を取得するための取得ユニットと、
取得した識別シリアル番号及びブルートゥースアドレスに基づいて、ブルートゥース送信機と前記ブルートゥースアドレスに対応するブルートゥースアダプタとをマッチングするためのマッチングユニットと、
前記ブルートゥース送信機と前記ブルートゥースアダプタとがマッチングすると、前記キーボードによって入力された文字情報を前記ブルートゥースアダプタに対応するコンピュータに送信するための送信ユニットと、を備えることを特徴とする請求項２に記載のコンピュータ入力システム。
【請求項４】
前記コンピュータ入力システムは、さらに、マウスを備え、
前記マウスは、ブルートゥース送信装置を備え、
前記キーボードは、さらに、ブルートゥース受信機を備え、
前記ブルートゥース送信装置は、前記ブルートゥース受信機とマッチングするために用いられ、
前記ブルートゥース送信装置と前記ブルートゥース受信機とがマッチングされると、マウスからの動作情報は、前記キーボードを介して該キーボードとマッチッングされたコンピュータに送信されることを特徴とする請求項３に記載のコンピュータ入力システム。
【請求項５】
キーボードが所望のコンピュータのブルートゥースアダプタに対応する番号を受信するステップと、
前記番号に対応する識別シリアル番号及びブルートゥースアドレスを取得するステップと、
取得した前記識別シリアル番号及びブルートゥースアドレスに基づいて、前記キーボードのブルートゥース送信機と所望のコンピュータのブルートゥースアダプタとをマッチングするステップと、
マッチングが完了すると、前記キーボードによって入力された文字情報をコンピュータに送信するステップと、
を備えることを特徴とするコンピュータ入力方法。
【発明の詳細な説明】
【技術分野】
【０００１】
本発明は、コンピュータ入力システム及びその方法に関するものである。
【背景技術】
【０００２】
マウス及びキーボードは、コンピュータの一般的な入力デバイスとして使用されている。近年、マウス及びキーボードとコンピュータとの間の接続線を減らすために、ブルートゥース（登録商標）マウス及びブルートゥースキーボード等のワイヤレスデバイスが広く使用されている。しかし、従来のブルートゥースマウス及びブルートゥースキーボードは、１つのコンピュータのみにしかマッチングできない。従って、ブルートゥースキーボードを別のコンピュータにマッチングさせる場合は、先ず、ブルートゥースキーボードと現在のコンピュータとの間の接続を切断しなければならないため、使用に不便である。
【発明の概要】
【発明が解決しようとする課題】
【０００３】
前記課題を解決するために、本発明は、便利に異なるコンピュータの入力デバイスとして使用することができるコンピュータ入力システム及びその方法を提供する。
【課題を解決するための手段】
【０００４】
本発明に係るコンピュータ入力システムは、それぞれブルートゥースアダプタを有する複数のコンピュータに適用され、キーボードを備える。前記キーボードは、所望のコンピュータのブルートゥースアダプタと通信するためのブルートゥース送信機と、各コンピュータのブルートゥースアダプタのブルートゥースアドレス及び各ブルートゥースアドレスに対応する識別シリアル番号を格納するためのメモリと、所望のコンピュータのブルートゥースアダプタのブルートゥースアドレスを取得し、且つ前記ブルートゥースアドレスに基づいて、前記メモリから対応する識別シリアル番号を取得するためのマイクロコントローラであって、前記ブルートゥース送信機とブルートゥースアドレスに対応するブルートゥースアダプタとをマッチンッグするためのマイクロコントローラと、を備える。前記ブルートゥース送信機と前記ブルートゥースアドレスとがマッチングすると、前記キーボードは、前記コンピュータの入力デバイスとして使用できる。
【０００５】
本発明に係るコンピュータ入力方法は、キーボードが所望のコンピュータのブルートゥースアダプタに対応する番号を受信するステップと、前記番号に対応する識別シリアル番号及びブルートゥースアドレスを取得するステップと、取得した前記識別シリアル番号及びブルートゥースアドレスに基づいて、前記キーボードのブルートゥース送信機と所望のコンピュータのブルートゥースアダプタとをマッチングするステップと、マッチングが完了すると、前記キーボードによって入力された文字情報をコンピュータに送信するステップと、を備える。
【発明の効果】
【０００６】
従来の技術と比べて、本発明のコンピュータ入力システム及びその方法は、所望のコンピュータのブルートゥースアダプタのブルートゥースアドレス及び識別シリアル番号を取得することにより、便利にキーボードを異なるコンピュータの入力デバイスとして使用することができる。
【図面の簡単な説明】
【０００７】
【図１】本発明の実施形態に係るコンピュータ入力システムを適用する複数のコンピュータのブロック図である。
【図２】図１に示した制御回路のブロック図である。
【図３】図２に示したメモリのブロック図である。
【図４】図２に示したマイクロコントローラのブロック図である。
【図５】本発明の実施形態に係るコンピュータ入力方法のフローチャートである。
【発明を実施するための形態】
【０００８】
以下、図面を参照して、本発明の実施形態について説明する。
【０００９】
図１を参照すると、本発明の実施形態に係るコンピュータ入力システムは、複数のコンピュータ１０に適用される。各コンピュータ１０は、それぞれブルートゥース（登録商標）アダプタ１００を備える。コンピュータ入力システムは、コンピュータ１０の入力デバイスとして使用されるキーボード２０と、キーボード２０を介して対応するコンピュータ１０と通信するマウス４０と、を備える。キーボード２０は、制御回路３０を備える。
【００１０】
図２〜図４を参照すると、制御回路３０は、ブルートゥース受信機３０１、ブルートゥース送信機３０２、バッテリー３０３、メモリ３０４及びマイクロコントローラ３０５を備える。マウス４０は、ブルートゥース送信装置４００を備える。
【００１１】
ブルートゥース受信機３０１は、マウス４０のブルートゥース送信装置４００とマッチングして、マウスの動作情報（例えば、クリック、ダブルクリック）を受信するために用いられる。ブルートゥース送信機３０２は、コンピュータ１０のブルートゥースアダプタ１００とマッチングするために用いられる。
【００１２】
メモリ３０４には、各コンピュータ１０のブルートゥースアダプタ１００のブルートゥースアドレス及び各ブルートゥースアドレスに対応する識別シリアル番号が格納されている。識別シリアル番号は、対応するコンピュータ１０のブルートゥースアダプタ１００とマッチングを行う時の証明とする。本実施形態において、各識別シリアル番号は、それぞれ１つの番号に対応する。例えば、第一識別シリアル番号が対応する番号は１であり、第二識別シリアル番号が対応する番号は２である。
【００１３】
バッテリー３０３は、マイクロコントローラ３０５、ブルートゥース受信機３０１、ブルートゥース送信機３０２及びメモリ３０４に電力を供給するために用いられる。
【００１４】
マイクロコントローラ３０５は、取得ユニット５０、マッチングユニット５１及び送信ユニット５２を備える。
【００１５】
取得ユニット５０は、ユーザがキーボード２０をコンピュータ１０の入力デバイスとして使用する時に入力された番号を受信し、且つメモリ３０４から、前記番号に対応する識別シリアル番号及び前記コンピュータ１０のブルートゥースアダプタ１００のブルートゥースアドレスを取得するために用いられる。
【００１６】
マッチングユニット５１は、取得した識別シリアル番号及びブルートゥースアドレスに基づいて、ブルートゥース送信機３０２を介して前記ブルートゥースアドレスに対応するコンピュータ１０のブルートゥースアダプタ１００とマッチングを行うために用いられる。
【００１７】
ブルートゥース送信機３０２とブルートゥースアダプタ１００とがマッチングした後、送信ユニット５２は、ブルートゥース送信機３０２を介してユーザが入力されたキー情報を、対応するコンピュータ１０のブルートゥースアダプタ１００に送信する。これにより、キーボード２０をコンピュータ１０の入力デバイスとして使用することができる。
【００１８】
マッチングユニット５１は、さらに、マウス４０のブルートゥース送信装置４００とキーボード２０のブルートゥース受信機３０１とをマッチングするために用いられる。具体的なマッチング過程は、既存の技術であるため、ここでの説明は省略する。
【００１９】
マウス４０のブルートゥース送信装置４００とキーボード２０のブルートゥース受信機３０１とがマッチングされた後、送信ユニット５２は、ブルートゥース送信機３０２を介して、マウス４０の動作情報をキーボード２０に接続されたコンピュータ１０に送信する。これにより、マウス４０及びキーボード２０は、コンピュータ１０の入力デバイスとして使用することができる。従って、コンピュータ１０は、１つのブルートゥースアダプタ１００のみでキーボード２０の文字情報及びマウスの動作情報を同時に受信することができる。
【００２０】
また、マウス４０及びキーボード２０を別のコンピュータ１０の入力デバイスとして使用する場合、ユーザは、キーボード２０に別のコンピュータ１０のブルートゥースアダプタ１００に対応する番号を入力するだけで良い。これにより、容易にマウス４０及びキーボード２０を別のコンピュータ１０の入力デバイスとして使用することができる。
【００２１】
図５を参照すると、本発明の実施形態に係るコンピュータ入力方法は、以下のステップＳ１〜ステップＳ６を備える。
【００２２】
ステップＳ１において、マイクロコントローラ３０５の取得ユニット５０は、所望のコンピュータ１０のブルートゥース（登録商標）アダプタ１００に対応する番号を受信する。
【００２３】
ステップＳ２において、取得ユニット５０は、メモリ３０４から前記番号に対応する識別シリアル番号及びブルートゥースアドレスを取得する。
【００２４】
ステップＳ３において、マッチングユニット５１は、取得した識別シリアル番号及びブルートゥースアドレスに基づいて、所望のコンピュータ１０のブルートゥースアダプタ１００とマッチングを行う。
【００２５】
ステップＳ４において、送信ユニット５２は、キーボード２０を所望のコンピュータ１０の入力デバイスとして使用できるよう、ブルートゥース送信機３０２を介してキーボード２０によって入力されたキー情報を所望のコンピュータ１０のブルートゥースアダプタ１００に送信する。
【００２６】
ステップＳ５において、マッチングユニット５１は、さらに、マウス４０のブルートゥース送信装置４００とキーボード２０のブルートゥース受信機３０１とをマッチングする。
【００２７】
ステップＳ６において、送信ユニット５２は、ブルートゥース送信機３０２を介して、マウス４０からの動作情報をブルートゥース送信機３０２とマッチングした所望のコンピュータ１０のブルートゥースアダプタ１００に送信する。
【００２８】
本発明のコンピュータ入力システム及びその方法は、所望のコンピュータ１０のブルートゥースアダプタ１００の番号を入力することにより、キーボード２０及びマウス４０を所望のコンピュータ１０の入力デバイスとして使用することができる。また、マウス４０からの動作情報は、キーボード２０を介してキーボード２０とマッチングしたコンピュータ１０に送信することができるので、コンピュータ１０のブルートゥースアダプタ１００の数量を減らすことができる。
【符号の説明】
【００２９】
１０  コンピュータ
２０  キーボード
３０  制御回路
４０  マウス
１００  ブルートゥースアダプタ
３０１  ブルートゥース受信機
３０２  ブルートゥース送信機
３０３  バッテリー
３０４  メモリ
３０５  マイクロコントローラ
４００  ブルートゥース送信装置
５０  取得ユニット
５１  マッチングユニット
５２  送信ユニット
【図１】
2014194778.tif 000003
【図２】
2014194778.tif 000004
【図３】
2014194778.tif 000005
【図４】
2014194778.tif 000006
【図５】
2014194778.tif 000007